(57)【要約】【課題】器具がトロカールカニューレを通過する時にシールを保護できるプロテクタを備えたトロカール組立体用のシールを提供すること。【解決手段】トロカール組立体に使用するためのシールであって、選択的に開閉できるように適合されたシール本体と、器具がシール本体を通過する際にそのシール本体を保護するための、そのシール本体に近接したプロテクタとを含む。このプロテクタは、旋回運動可能に取り付けられた少なくとも１つのフラップを備え、このフラップは、シール本体の概ね中心に向かって位置する内縁、およびフラップをシール本体よりも高い位置に維持する支持部材に取り付けられた外縁を有する。フラップはまた、その輪郭がシール本体の大部分を覆うような形状および寸法を有する。【選択図】図１
2006167474.tif 000002
【特許請求の範囲】
【請求項１】
トロカール組立体に連結して使用するためのシールであって、
選択的に開閉できるように適合されたシール本体と、
器具が前記シール本体を通過する際に前記シール本体を保護するための、前記シール本体に近接したプロテクタと、を含み、
前記プロテクタは、旋回運動可能に取り付けられた少なくとも１つのフラップを備えており、
前記フラップは、前記シールの概ね中心に向かって位置する内縁、および前記フラップを前記シール本体よりも高い位置に維持する支持部材に取り付けられた外縁を備えると共に、前記シール本体の大部分が前記フラップの輪郭（outline）によって覆われるような形状および寸法を有する、シール。
【請求項２】
請求項１に記載のシールであって、
前記シールがダックビルシールである、シール。
【請求項３】
請求項１に記載のシールであって、
前記プロテクタは、第１および第２の対向したフラップを含み、前記各フラップが、前記シールの概ね中心に向かって位置する内縁、および前記フラップを前記シール本体よりも高い位置に維持する支持部材に取り付けられた外縁を有する、シール。
【請求項４】
請求項３に記載のシールであって、
前記支持部材は、前記第１および第２のフラップを前記シールの上に配設できるようにトロカール組立体内に配置可能な形状および寸法を有する支持リングである、シール。
【請求項５】
請求項３に記載のシールであって、
前記第１および第２のフラップのそれぞれの外縁は、器具が前記トロカール組立体内を通過する際に必要になる前記第１および第２のフラップの下方および上方への撓みを可能にするように前記支持部材に蝶番で取り付けられている、シール。
【請求項６】
請求項１に記載のシールであって、
前記フラップが、前記シール本体に面した下面を備え、この下面がカム面を備え、このカム面が、器具の挿入の際に前記シール本体に接触して、器具が前記シール本体の中心のシール開口内を通過できる程度に前記シール本体を押し広げる、シール。
【請求項７】
トロカール組立体であって、
基端部および先端部を有するトロカールカニューレと、
オブチュレータを受容し、そのオブチュレータを前記トロカールカニューレ内に案内するために、前記トロカールカニューレの基端部に結合されたトロカールハウジングと、を含み、
前記トロカールハウジングは、シール組立体が配設される開口を画定する開口した基端部分を備えており、
前記シール組立体は、器具が前記シール組立体のシール本体を通過する際に前記シール本体を保護するためのプロテクタを備えており、
前記プロテクタは、旋回運動可能に取り付けられた少なくとも１つのフラップを備えており、
前記フラップは、前記シールの概ね中心に向かって位置する内縁、および前記フラップを前記シール本体よりも高い位置に維持する支持部材に取り付けられた外縁を備えると共に、前記シール本体の大部分が前記フラップの輪郭によって覆われるような形状および寸法を有する、トロカール組立体。
【請求項８】
トロカール組立体であって、
基端部および先端部を有するトロカールカニューレと、
オブチュレータを受容してそのオブチュレータを前記トロカールカニューレ内に案内するために、前記トロカールカニューレの基端部に結合されたトロカールハウジングと、を含み、
前記トロカールハウジングは、基端シール組立体及び先端シール組立体が配設される開口を画定する開口した基端部分を備えており、
前記先端シール組立体は、器具が前記先端シール組立体のシール本体を通過する際に前記シール本体を保護するためのプロテクタを備えており、
前記プロテクタは、旋回運動可能に取り付けられた少なくとも１つのフラップを備えており、
前記フラップは、前記シールの概ね中心に向かって位置する内縁、および前記フラップを前記シール本体よりも高い位置に維持する支持部材に取り付けられた外縁を備えると共に、前記シール本体の大部分が前記フラップの輪郭によって覆われるような形状および寸法を有する、トロカール組立体。
【発明の詳細な説明】
【開示の内容】
【０００１】
〔発明の背景〕
１．発明の分野
本発明は、トロカール組立体に関する。詳細には、本発明は、挿入された器具とシール本体との有害な接触を最小限にするプロテクタを含むトロカールシール組立体に関する。
【０００２】
２．従来技術の説明
トロカール組立体は、体内の内腔にアクセスするために用いられる外科器具である。トロカール組立体は通常、トロカールハウジングおよびトロカールカニューレからなるトロカールスリーブとトロカールオブチュレータとの２つの主構成要素を含む。内部にトロカールオブチュレータが挿入されるトロカールカニューレは、体腔にアクセスするために皮膚を介して挿入される。体腔にアクセスしたら、腹腔鏡外科手術または関節鏡外科手術や、内視鏡処置を行うことができる。皮膚に刺入する際は、既に外科用メスで切開された皮膚にトロカールカニューレの先端部を配置する。次いで、トロカールオブチュレータを皮膚に刺入して体腔にアクセスする。トロカールオブチュレータの基端部に圧力をかけて、トロカールオブチュレータの尖端を皮膚を介して体腔まで到達させる。トロカールカニューレを、トロカールオブチュレータによって形成された孔に挿入し、トロカールオブチュレータは抜き取り、トロカールカニューレは体腔へのアクセス通路としてそのまま残す。
【０００３】
トロカールカニューレの基端部分は通常、トロカールカニューレによって画定された内腔に連通し、かつ開口した先端部分を有する室を画定しているトロカールハウジングに接続される。トロカールオブチュレータまたは他の細長い外科器具や装置を、トロカールハウジングによって画定された室の基端部分を介して、軸方向にトロカールカニューレ内に挿入したり、トロカールカニューレから引き抜いたりすることができる。
【０００４】
内視鏡処置中に流体や気体の流出を防止するために、トロカールカニューレ及びトロカールハウジングとともにシール構造またはシール装置を用いるのは一般的である。内視鏡外科処置の際は、この外科処置を成功させるために内部の気圧を維持しなければならない。腹腔内に配置されたトロカールスリーブ内に器具が挿入される時、またはそのトロカールスリーブから器具が抜き取られる時に内部の気圧を維持するためには、トロカールカニューレを通過するトロカールオブチュレータ及び器具の両方にシール装置が必要である。
【０００５】
シールは、外科器具の挿入または抜き取りに対して摩擦が小さく、断裂しにくく、たるみにくくなければならない。トロカールカニューレの中心軸に対して器具を斜めに挿入することや器具先端部の鋭利さが、トロカールシールが損傷する原因である。これらの２つの因子が、シール材料のテンティング（tenting）を引き起こし得る。一旦テンティングが起きると、器具の先端側にさらに挿入するとシールが裂けてしまう。
【０００６】
従って、オブチュレータまたは器具がトロカールカニューレを通過する時にシールを保護できるプロテクタが要望されている。特に、トロカール組立体に良く用いられるダックビルシールとともに用いることができるプロテクタが要望されている。本発明はこのようなプロテクタを提供する。
【０００７】
〔発明の概要〕
従って、本発明の目的は、トロカール組立体に使用するためのシールを提供することにある。このシールは、選択的に開閉できるように適合されたシール本体と、器具がシール本体を通過する際にシール本体を保護するための、そのシール本体に近接したプロテクタとを含む。このプロテクタは、旋回運動可能に取り付けられた少なくとも１つのフラップを備え、このフラップは、シール本体の概ね中心に向かって位置する内縁、およびフラップをシール本体よりも高い位置に維持する支持部材に取り付けられた外縁を有する。フラップはまた、その輪郭（outline）がシール本体の大部分を覆うような形状および寸法を有する。
【０００８】
本発明の目的はまた、基端部および先端部を有するトロカールカニューレを含むトロカール組立体を提供することにある。トロカールハウジングが、オブチュレータを受容してそのオブチュレータをトロカールカニューレ内に案内するために、トロカールカニューレの基端部に結合されている。トロカールハウジングは、シール組立体が配設される開口を画定する開口した基端部分を備えており、このシール組立体は、器具がシール組立体のシール本体を通過する際にそのシール本体を保護するためのプロテクタを備えている。プロテクタは、旋回運動可能に取り付けられた少なくとも１つのフラップを備えており、フラップは、シール本体の概ね中心に向かって位置する内縁、およびフラップをシール本体よりも高い位置に維持する支持部材に取り付けられた外縁を有する。フラップはまた、その輪郭がシール本体の大部分を覆うような形状および寸法を有する。
【０００９】
本発明の別の目的は、基端部および先端部を有するトロカールカニューレを含む別のトロカール組立体を提供することにある。トロカールハウジングが、オブチュレータを受容してそのオブチュレータをトロカールカニューレ内に案内するために、トロカールカニューレの基端部に結合されている。トロカールハウジングは、基端シール組立体及び先端シール組立体が配設される開口を画定する開口した基端部分を備えている。先端シール組立体は、器具がその先端シール組立体のシール本体を通過する際にそのシール本体を保護するためのプロテクタを備えている。プロテクタは、旋回運動可能に取り付けられた少なくとも１つのフラップを備えている。フラップは、シール本体の概ね中心に向かって位置する内縁、およびフラップをシール本体よりも高い位置に維持する支持部材に取り付けられた外縁を有する。フラップはまた、その輪郭がシール本体の大部分を覆うような形状および寸法を有する。
【００１０】
本発明の他の目的および利点は、添付の図面を参照しながら、本発明の特定の実施形態を説明する以下の詳細な記載を読めば、明らかになるであろう。
【００１１】
〔好適な実施形態の説明〕
本発明の詳細な実施形態をここに開示する。しかしながら、開示する実施形態は本発明の単なる例示であって、様々な形態に具現できることを理解されたい。従って、ここに開示する詳細は、限定することが目的ではなく、単に添付の特許請求の範囲の基礎となり、本発明をどのように実施し、かつ／または使用するかを当業者が理解するための基礎となるものである。
【００１２】
図１‐図６を参照すると、本発明に従ったダックビルシール組立体１２のプロテクタ１０が開示されている。このロテクタ１０は、トロカールオブチュレータ１６や器具がトロカールハウジング２２およびトロカールカニューレ２０を通過する時にこれらがシール本体１４に直接接触するのを防止して、シール本体１４を裂けにくくする。
【００１３】
プロテクタ１０は、限定するものではないが、腹腔鏡外科処置および関節鏡外科処置を含め、侵襲性の最も低い内視鏡外科処置に用いられる低コストの外科用トロカール組立体１８に使用できるように適合されている。このような外科用トロカール組立体は、使い捨てであって、唯一人の患者に使用される装置として用いられるようになっている。
【００１４】
本発明に従ったプロテクタ１０を含むダックビルシール組立体１２を除くトロカール組立体１８の全体構造は本発明の構成要素ではない。例えば、このダックビルシール組立体１２を説明するために、トロカール組立体１８は、当業者に周知の様々な形にすることができる。
【００１５】
これを考慮し、一例として、トロカール組立体１８は、トロカールカニューレ２０、トロカールオブチュレータ１６、およびトロカールハウジング（またはハンドル）２２を含む。トロカールカニューレ２０は、開口した先端部分および開口した基端部分を有する内腔を画定している。この基端部分は、トロカールハウジング２２の先端部分内に延び、その先端部に取り付けられている。トロカールハウジング２２は、基端シール組立体２４が配設される開口を画定している開口した基端部分を有する。ダックビルシール組立体１２は、トロカールハウジング２２の開口を選択的にシールするために基端シール組立体２４の下側に位置する。
【００１６】
トロカールオブチュレータ１６は、トロカールカニューレ２０内を摺動して移動することができ、取り外し可能である。トロカールオブチュレータ１６は、トロカールハウジング２２およびトロカールカニューレ２０内に挿入され、基端シール組立体２４およびダックビルシール組立体１２を貫通する。オブチュレータハンドル１６ａが、トロカールオブチュレータ１６の基端部に設けられており、尖端すなわち刃１６ｂが、トロカールオブチュレータ１６の先端部に形成されている。当分野では周知のように、基端シール組立体２４は、トロカールオブチュレータ１６またはトロカールカニューレ２０を貫通する他の外科器具の外面を密閉するようにこれらに係合し、これによりトロカールハウジング２２内を流体が流れるのを防止する。
【００１７】
上記したように、ダックビルシール組立体１２は、基端シール組立体２４の下側で支持されている。本発明の好適な実施形態に従ったダックビルシール組立体１２は、トロカールハウジング２２内に取り付け可能な形状および寸法を有する円周フランジ部材３２から延びた第１のシール本体２８および第２のシール本体３０を含む。第１および第２のシール本体２８、３０はそれぞれ、上面および下面を有する。第１および第２のシール本体２８、３０は、ダックビルシール組立体の上面に一般的に設けられるリブを除いて、その全長に沿って実質的に一定の厚みを維持しているので、上面と下面は概ね鏡像である。
【００１８】
上記したように、シール組立体１２は、トロカールオブチュレータ１６および器具がトロカールカニューレ２０内を通過する時にシール本体２８、３０を保護するために、それらのシール本体２８、３０に近接して配設されたプロテクタ１０を備えている。プロテクタ１０は、鋭利な器具のトロカールハウジング２２内への挿入による接触または刺入によってダックビルシール組立体１２のシール本体２８、３０が裂けないように保護する役割を果たす。このプロテクタ１０により、腹腔鏡外科処置における吹送維持の信頼性が改善される。
【００１９】
本発明の好適な実施形態に従ったプロテクタ１０は、例えば、ペレセン（pellethane）などの成型プラスチックである。しかしながら、プロテクタ１０は、単に成型プラスチックに限定されるものではなく、上記した機能に必要な特性および特徴を有するあらゆるタイプの材料から形成することができる。
【００２０】
図２‐図６を参照すると、プロテクタ１０が詳細に示されている。プロテクタ１０は、トロカール組立体１８とともに使用されるダックビルシール組立体１２のシール本体２８、３０を保護するようにデザインされている。プロテクタ１０は、シール本体２８、３０の上面３４、３６の真上に吊るされており、裂けにくい材料から形成されている。
【００２１】
プロテクタ１０は、２つの対向したプロテクタフラップ４２、４４を含む。第１のフラップ４２および第２のフラップ４４はそれぞれ、トロカールハウジング２２の概ね中心に向かって位置する内縁４６、４８、およびトロカールハウジング２２の概ね壁部に向かって位置する外縁５０、５２を含む。第１および第２のフラップ４２、４４の外縁５０、５２はそれぞれ、第１および第２のフラップ４２、４４を周りに延在してこれらを支持する外側支持部材（好適な実施形態ではリング５４として示されている）に蝶番で取り付けられている。
【００２２】
図５および図６を参照すると、外側支持リング５４は、ダックビルシール組立体１２のシール本体２８、３０の上に第１および第２のフラップ４２、４４を配設できるようにトロカールハウジング２２内に配置可能な形状および寸法を有する。従って、当業者であれば、外側支持リング５４および第１および第２のフラップ４２、４４を、本発明の概念から逸脱することなく、様々なトロカール組立体構造に用いるために様々にできることを容易に理解できよう。本発明の好適な実施形態に従ったプロテクタは、唯２つのフラップを有するダックビルシールに用いるようにデザインされているが、当業者であれば、本発明の基礎となる概念を、３つ以上のフラップを有する構造に適用できることを理解できよう。加えて、本発明の基礎となる概念は、本発明の概念から逸脱することなく、例えば、十字型など形状を有する様々なダックビルシールに適用できる。第１および第２のフラップ４２、４４を外側支持リング５４に連結しているヒンジ５５、５６により、トロカールカニューレ２０およびトロカールハウジング２２内に挿入された器具が移動する際に必要になる第１および第２のフラップ４２、４４の下方および上方の両方への撓みが可能となる。例えば、下方への撓みは器具を挿入する時に必要であり、上方への撓みは器具を引き抜く時に必要であろう。
【００２３】
プロテクタフラップ４２、４４は、それらの輪郭がシール本体２８、３０のそれぞれの上面３４、３６の大部分を覆うような形状および寸法を有する。図６に示されているような器具（例えば、トロカールオブチュレータ１６）の挿入中に、プロテクタフラップ４２、４４が、ダックビルシール組立体１２のシール本体２８、３０をカム動作によって移動させて器具がダックビルシール組立体１２の中心のスリット５７を通過できるようにし、ダックビルシール組立体１２のシール本体２８、３０が裂けるのを防止している。これは、第１および第２のフラップ４２、４４のそれぞれの下側に沿ってカム面５８、６０を設けることで達成できる。カム面５８、６０は、器具が第１および第２のシール本体２８、３０に向かって移動してプロテクタ１０を通過する時にダックビルシール組立体１２を開いた構造に押圧できる形状および寸法を有する。プロテクタ１０は、器具が接触するまで、ダックビルシール組立体１２のシール本体２８、３０を開けない。器具がプロテクタ１０に接触すると、プロテクタ１０がシール本体２８、３０に力を伝達し、これによりダックビルシール組立体１２が、器具と直接接触する前に開く。この結果、器具との直接接触が減少し、裂ける可能性も同様に減少する。
【００２４】
好適な実施形態に従えば、このプロテクタ１０は、トロカールハウジング２２の外側シールベース６２の下側に取り付けられている。具体的には、外側支持リング５４は、トロカールハウジング２２の外側シールベース６２の下側に形成された凹部６４内に配設されている。外側支持リング５４は、凹部６４内にトラップされるようにその凹部６４内に嵌着されている。このプロテクタ１０をトロカールハウジング２２に取り付けるための好適な機構を上記のように開示したが、当業者であれば、本発明の概念から逸脱することなく、プロテクタ１０を取り付けるための様々な機構を利用できることを理解できよう。
【００２５】
プロテクタ１０の第１および第２のフラップ４２、４４は、ダックビルシール組立体１２の中心までのシール本体２８、３０の全表面を覆う必要がないことに留意されたい。中心付近の保護されていないダックビルシール本体２８、３０に接触する器具は、損傷させるようにはシール本体２８、３０に接触することなくダックビルシール組立体１２内を通過するため、フラップ４２、４４がシール本体２８、３０の全表面を覆う必要はない。しかしながら、器具との接触がダックビルシール組立体１２の外周部に近づけば近づくほど、シール本体２８、３０に「テント（tent）」が起き、裂け易くなる。従って、ダックビルシール組立体１２の中心に向かうに従って保護する必要性が小さくなり、その外周に向かうに従って保護する必要性が大きくなる。プロテクタ１０の第１および第２のフラップ４２、４４は、器具との接触で裂ける可能性があるシール本体２８、３０の表面の不定位置までシール本体２８、３０を保護している。
【００２６】
説明した概念では１つのプロテクタを用いたが、複数のプロテクタを用いたデザインも可能である。シール本体同士が接触する中心までプロテクタを完全に保護する必要はないが、必要に応じて完全に保護しても良い。
【００２７】
好適な実施形態を図示および説明してきたが、このような開示に本発明が限定されるものではなく、むしろ、添付の特許請求の範囲で規定される本発明の概念および範囲に包含される全ての変更形態および代替形態が含まれるものとする。
【００２８】
〔実施の態様〕
（１）トロカール組立体に連結して使用するためのシールであって、
選択的に開閉できるように適合されたシール本体と、
器具が前記シール本体を通過する際に前記シール本体を保護するための、前記シール本体に近接したプロテクタと、を含み、
前記プロテクタが、旋回運動可能に取り付けられた少なくとも１つのフラップを備えており、
前記フラップが、前記シールの概ね中心に向かって位置する内縁、および前記フラップを前記シール本体よりも高い位置に維持する支持部材に取り付けられた外縁を備えると共に、前記シール本体の大部分が前記フラップの輪郭によって覆われるような形状および寸法を有する、シール。
（２）実施態様（１）に記載のシールであって、
前記シールがダックビルシールである、シール。
（３）実施態様（１）に記載のシールであって、
前記プロテクタは、第１および第２の対向したフラップを含み、前記各フラップが、前記シールの概ね中心に向かって位置する内縁、および前記フラップを前記シール本体よりも高い位置に維持する支持部材に取り付けられた外縁を有する、シール。
（４）実施態様（３）に記載のシールであって、
前記支持部材が、前記第１および第２のフラップを前記シールの上に配設できるようにトロカール組立体内に配置可能な形状および寸法を有する支持リングである、シール。
（５）実施態様（３）に記載のシールであって、
前記第１および第２のフラップのそれぞれの外縁は、器具が前記トロカール組立体内を通過する際に必要になる前記第１および第２のフラップの下方および上方への撓みを可能にするように前記支持部材に蝶番で取り付けられている、シール      
【００２９】
（６）実施態様（１）に記載のシールであって、
前記フラップが、前記シール本体に面した下面を備え、この下面がカム面を備え、このカム面が、器具の挿入の際に前記シール本体に接触して、器具が前記シール本体の中心のシール開口内を通過できる程度に前記シール本体を押し広げる、シール。
（７）トロカール組立体であって、
基端部および先端部を有するトロカールカニューレと、
オブチュレータを受容し、そのオブチュレータを前記トロカールカニューレ内に案内するために、前記トロカールカニューレの基端部に結合されたトロカールハウジングと、を含み、
前記トロカールハウジングは、シール組立体が配設される開口を画定する開口した基端部分を備えており、
前記シール組立体は、器具が前記シール組立体のシール本体を通過する際に前記シール本体を保護するためのプロテクタを備えており、
前記プロテクタは、旋回運動可能に取り付けられた少なくとも１つのフラップを備えており、
前記フラップは、前記シールの概ね中心に向かって位置する内縁、および前記フラップを前記シール本体よりも高い位置に維持する支持部材に取り付けられた外縁を備えると共に、前記シール本体の大部分が前記フラップの輪郭によって覆われるような形状および寸法を有する、トロカール組立体。
（８）実施態様（７）に記載のトロカール組立体であって、
前記シール組立体がダックビルシール組立体である、トロカール組立体。
（９）実施態様（７）に記載のトロカール組立体であって、
前記プロテクタが、第１および第２の対向したフラップを含み、前記各フラップが、前記シール本体の概ね中心に向かって位置する内縁、および前記フラップを前記シール本体よりも高い位置に維持する支持部材に取り付けられた外縁を有する、トロカール組立体。
（１０）実施態様（９）に記載のトロカール組立体であって、
前記支持部材が、前記第１および第２のフラップを前記シール本体の上に配設できるようにトロカール組立体内に配置可能な形状および寸法を有する支持リングである、トロカール組立体。
【００３０】
（１１）実施態様（９）に記載のトロカール組立体であって、
前記第１および第２のフラップの外縁がそれぞれ、器具が前記トロカール組立体内を通過する際に必要になる前記第１および第２のフラップの下方および上方への撓みを可能にするように前記支持部材に蝶番で取り付けられている、トロカール組立体。
（１２）実施態様（７）に記載のトロカール組立体であって、
前記フラップが、前記シール本体に面した下面を備え、この下面がカム面を備え、このカム面が、器具の挿入の際に前記シール本体に接触して、器具が前記シール本体の中心のシール開口内を通過できる程度に前記シール本体を押し広げる、トロカール組立体。
（１３）トロカール組立体であって、
基端部および先端部を有するトロカールカニューレと、
オブチュレータを受容してそのオブチュレータを前記トロカールカニューレ内に案内するために、前記トロカールカニューレの基端部に結合されたトロカールハウジングと、を含み、
前記トロカールハウジングは、基端シール組立体及び先端シール組立体が配設される開口を画定する開口した基端部分を備えており、
前記先端シール組立体は、器具が前記先端シール組立体のシール本体を通過する際に前記シール本体を保護するためのプロテクタを備えており、
前記プロテクタは、旋回運動可能に取り付けられた少なくとも１つのフラップを備えており、
前記フラップは、前記シールの概ね中心に向かって位置する内縁、および前記フラップを前記シール本体よりも高い位置に維持する支持部材に取り付けられた外縁を備えると共に、前記シール本体の大部分が前記フラップの輪郭によって覆われるような形状および寸法を有する、トロカール組立体。
（１４）実施態様（１３）に記載のトロカール組立体であって、
前記先端シール組立体がダックビルシール組立体である、トロカール組立体。
（１５）実施態様（１３）に記載のトロカール組立体であって、
前記プロテクタが、第１および第２の対向したフラップを含み、前記各フラップが、前記シール本体の概ね中心に向かって位置する内縁、および前記フラップを前記シール本体よりも高い位置に維持する支持部材に取り付けられた外縁を有する、トロカール組立体。
【００３１】
（１６）実施態様（１５）に記載のトロカール組立体であって、
前記支持部材が、前記第１および第２のフラップを前記シールの上に配設できるようにトロカール組立体内に配置可能な形状および寸法を有する支持リングである、トロカール組立体。
（１７）実施態様（１５）に記載のトロカール組立体であって、
前記第１および第２のフラップの外縁がそれぞれ、器具が前記トロカール組立体内を通過する際に必要になる前記第１および第２のフラップの下方および上方への撓みを可能にするように前記支持部材に蝶番で取り付けられている、トロカール組立体。
（１８）実施態様（１３）に記載のトロカール組立体であって、
前記フラップが、前記シール本体に面した下面を備え、この下面がカム面を備え、このカム面が器具の挿入の際に前記シール本体に接触して、器具が前記シール本体の中心のシール開口内を通過できる程度に前記シール本体を押し広げる、トロカール組立体。
【図面の簡単な説明】
【００３２】
【図１】本発明に従ったトロカール組立体の組立分解図である。
【図２】本発明に従ったプロテクタの上方からの斜視図である。
【図３】図２に示されているプロテクタの平面図である。
【図４】図２に示されているプロテクタの側面図である。
【図５】トロカールオブチュレータが挿入されていないトロカールハウジングの断面図である。
【図６】トロカールオブチュレータが挿入されているトロカールハウジングの断面図である。
【図１】
2006167474.tif 000003
【図２】
2006167474.tif 000004
【図３】
2006167474.tif 000005
【図４】
2006167474.tif 000006
【図５】
2006167474.tif 000007
【図６】
2006167474.tif 000008
【外国語明細書】
2006167474000001.pdf